(57)【要約】【課題】洗浄水の噴射により食器等の洗浄を行う食器洗い機において、扉体内部に浸入した水を洗浄槽に戻すことで、機外への水漏れを防ぎ、清潔性の高い食器洗い機を安価に実現する。【解決手段】開口部から食器等の被洗浄物４を出し入れ可能に収容する洗浄槽２と、洗浄槽２の開口部を開閉する扉体３とを有し、扉体３には扉体３内部に浸入した水を外部に排出する通水口１３を設けるとともに、扉体３閉塞状態において、水は通水口１３を経由して洗浄槽２の内部に流入する構成としたものであり、扉体３内部に浸入した水を、簡単な構成で洗浄槽２内に回収させることができ、清潔性の高い食器洗い機を安価に提供することができる。【選択図】図１
2013255615.tif 000002
【特許請求の範囲】
【請求項１】
開口部から食器等の被洗浄物を出し入れ可能に収容する洗浄槽と、前記洗浄槽の前記開口部を開閉する扉体とを有し、前記扉体に前記扉体内部に浸入した水を外部に排出する通水口が設けられるとともに、前記扉体閉塞状態において、前記水は前記通水口を経由して前記洗浄槽の内部に流入するように構成された食器洗い機。
【請求項２】
前記洗浄槽に水回収部が設けられ、前記水回収部は、前記扉体閉塞状態において、前記扉体の前記通水口から排出された水を受け止め、前記洗浄槽内に回収するように構成された請求項１記載の食器洗い機。
【請求項３】
前記水回収部は、前記扉体閉塞状態において、前記扉体の前記通水口の近傍直下に位置するように構成された請求項２記載の食器洗い機。
【請求項４】
前記扉体は、閉塞状態において前記洗浄槽との間を水密にシールするパッキングを備え、前記パッキングは、前記扉体閉塞状態において、前記水回収部と前記洗浄槽の内部との間を水密にシールするように構成された請求項１〜３のいずれか１項記載の食器洗い機。
【請求項５】
前記扉体は、閉塞状態において、前記扉体内部に浸入した水を前記通水口に誘導する水誘導部を内部に有する請求項１〜４のいずれか１項記載の食器洗い機。
【発明の詳細な説明】
【技術分野】
【０００１】
本発明は、洗浄水の噴射により食器等の洗浄を行う食器洗い機に関する。
【背景技術】
【０００２】
従来、洗浄水の噴射により食器等の洗浄を行う家庭用の食器洗い機においては、その前面に洗浄槽の開口部を開閉する扉体を設け、この扉体を前方下方に回動させて洗浄槽の開口部を開き、食器等を出し入れする構成のものが一般的である（例えば、特許文献１および２参照）。
【０００３】
図５は一般的な食器洗い機を示した側面断面図で、図５において、食器洗い機の本体１０１の内部に洗浄槽１０２が設けられ、洗浄槽１０２には食器類１０３が載置される食器かご１０４が配置されている。本体１０１の前部には下扉体１０５と上扉体１０６とが設けられ、洗浄槽１０２の開口部を開閉する。下扉体１０５と上扉体１０６とは連動リンク１０７によって連結されており、下扉体１０５の把手部１０８を持って下扉体１０５を開放すれば、同時に上扉体１０６も開放する。下扉体１０５には、扉体の閉成状態を確実に維持するためのロック装置１０９が内蔵され、ロック装置１０９を解除するためのロック解除ボタン１１０が、把手部１０８の下側に設けられている。
【０００４】
ロック装置１０９は、本体１０１に設けられた係止部１１１に係合する。食器洗い機の本体１０１にはロック検知スイッチ１１２が配設され、下扉体１０５の閉成状態において、ロック装置１０９はロック検知スイッチ１１２を押圧する。ロック検知スイッチ１１２は食器洗い機の運転制御と連携し、扉体が完全に閉成状態でない場合は運転ができないようにするとともに、運転途中に下扉体１０５が開放された場合には、直ちに運転を停止させて、洗浄水が食器洗い機の機外に噴出しないように構成されている。
【０００５】
下扉体１０５は洗浄槽１０２を覆う内扉体１０５ａと外観面を形成する外扉体１０５ｂの２つの部品から構成されており、ロック装置１０９やロック解除ボタン１１０の取付構成は内扉体１０５ａと外扉体１０５ｂの内部で形成される。
【０００６】
食器洗い機の基本的な動作は、一般的に良く知られているので、以下に簡単に述べると、使用者がロック解除ボタン１１０によりロック装置１０９を解除し、その後、把手部１０８を持って下扉体１０５とともに上扉体１０６を開放し、食器洗い機の本体１０１内の洗浄槽１０２に設置された食器かご１０４に汚れた食器類１０３をセットする。つぎに、下扉体１０５とともに上扉体１０６を閉め、ロック装置１０９を動作させて運転を開始すると、洗浄槽１０２の底部に配置されたヒータ１１３によって洗浄水を加熱しながら、洗浄ノズル１１４から食器類１０３に向かって噴射し、食器類１０３の汚れを落とす洗浄工程を行う。その後、食器類１０３をすすいだ後、乾かす乾燥工程を行って運転が終了する。
【先行技術文献】
【特許文献】
【０００７】
【特許文献１】特開２００２−２７２６６０号公報
【特許文献２】特開２００６−１１０１３０号公報
【発明の概要】
【発明が解決しようとする課題】
【０００８】
しかしながら、このような従来の食器洗い機では、食器類１０３をセットする際に、前
方下方に開放された下扉体１０５に食器類１０３に付着していた水が滴下するなどの理由により、下扉体１０５の内部に水が浸入する場合がある。浸入した水はそのまま下扉体１０５の内部にたまり続けたり、下扉体１０５を閉塞した際に下扉体１０５の下部に集まり、内扉体１０５ａと外扉体１０５ｂの隙間から流出し、食器洗い機の本体１０１の外部を伝って床面やキッチンのワークトップ上に滴下して製品からの水漏れと誤認されるなどの問題がある。
【０００９】
そのため、下扉体１０５内側の下部に吸水性のあるフェルト等を配設するなどの例もあるが、コストアップや組立効率の低下に繋がる。
【００１０】
本発明は、前記従来の課題を解決するもので、扉体内部に浸入した水を、確実に洗浄槽内に回収させることを少ない部品点数で実現するもので、清潔性の高い食器洗い機を安価に提供することを目的とする。
【課題を解決するための手段】
【００１１】
前記従来の課題を解決するために、本発明の食器洗い機は、開口部から食器等の被洗浄物を出し入れ可能に収容する洗浄槽と、前記洗浄槽の前記開口部を開閉する扉体とを有し、前記扉体に前記扉体内部に浸入した水を外部に排出する通水口が設けられるとともに、前記扉体閉塞状態において、前記水は前記通水口を経由して前記洗浄槽の内部に流入するように構成されたもので、扉体内部に浸入した水を、洗浄槽内に回収させることを少ない部品点数で実現することができ、清潔性の高い食器洗い機を安価に提供することができる。
【発明の効果】
【００１２】
本発明の食器洗い機は、食器類をセットする際に、付着していた水が扉体内部に浸入した場合でも、洗浄槽内に回収させることを少ない部品点数で実現するもので、清潔性の高い食器洗い機を安価に提供することができる。
【図面の簡単な説明】
【００１３】
【図１】本発明の実施の形態１における食器洗い機の側面断面図
【図２】同食器洗い機の扉体閉塞状態での要部拡大断面図
【図３】同食器洗い機の扉体開放状態での要部拡大断面図
【図４】同食器洗い機の扉体の背面図
【図５】従来の食器洗い機の側面断面図
【発明を実施するための形態】
【００１４】
第１の発明の食器洗い機は、開口部から食器等の被洗浄物を出し入れ可能に収容する洗浄槽と、前記洗浄槽の前記開口部を開閉する扉体とを有し、前記扉体に前記扉体内部に浸入した水を外部に排出する通水口が設けられるとともに、前記扉体閉塞状態において、前記水は前記通水口を経由して前記洗浄槽の内部に流入するように構成されたもので、扉体内部に浸入した水を、洗浄槽内に回収させることを少ない部品点数で実現することができ、清潔性の高い食器洗い機を安価に提供することができる。
【００１５】
第２の発明は、上記第１の発明において、前記洗浄槽に水回収部が設けられ、前記水回収部は、前記扉体閉塞状態において、前記扉体の前記通水口から排出された水を受け止め、前記洗浄槽内に回収するように構成されたもので、扉体の通水口と洗浄槽の水回収部という簡単な構成で、扉体内部に浸入した水を洗浄槽内に回収させることができ、清潔性の高い食器洗い機を安価に提供することができる。
【００１６】
第３の発明は、上記第２の発明において、前記水回収部は、前記扉体閉塞状態において
、前記扉体の前記通水口の近傍直下に位置するように構成されたもので、パッキングが水回収部の内側部に当接してシールする前に扉体内部に浸入した水を洗浄槽内に回収することができ、扉体閉塞状態において水回収部に水が残ることが少なくなり、より清潔性の高い食器洗い機を提供することができる。
【００１７】
第４の発明は、上記第１〜第３の発明において、前記扉体は閉塞状態において前記洗浄槽との間を水密にシールするパッキングを備え、前記パッキングは、前記扉体閉塞状態において、前記水回収部と前記洗浄槽の内部との間を水密にシールするように構成されたもので、使用状態において水回収部から洗浄水が機外に飛び出すことを防止できる。また、非使用時に機外からゴミ等が洗浄槽内に入ることを防止でき、より清潔性の高い食器洗い機を提供することができる。
【００１８】
第５の発明は、上記第１〜第４の発明において、前記扉体は、閉塞状態において、前記扉体内部に浸入した水を前記通水口に誘導する水誘導部を内部に有するもので、扉体内部に浸入した水の回収をより確実かつ迅速に行うことができる。
【００１９】
以下、本発明の実施の形態について、図面を参照しながら説明する。なお、この実施の形態によって本発明が限定されるものではない。
【００２０】
（実施の形態１）
図１は本発明の実施の形態１における食器洗い機の側面断面図、図２、図３は同食器洗い機の要部拡大断面図、図４は同食器洗い機の扉体の背面図である。
【００２１】
図１において、食器洗い機の本体１の内部に洗浄槽２が設けられ、本体１の前部に扉体３が設けられ、洗浄槽２の前部に設けた開口部を扉体３が開閉する。洗浄槽２は上部洗浄槽２ａと下部洗浄槽２ｂにより構成されており、下部洗浄槽２ｂには食器類等の被洗浄物４の洗浄に使用する洗浄水を貯水することができる。上部洗浄槽２ａには食器類等の被洗浄物４が載置される食器かご５が配置されている。扉体３は、本体１の下部に設けられた扉軸６を中心にして回転自在に取り付けられており、回転させることで閉塞状態から前方下方に開くことができる。扉体３は洗浄槽２の開口部を閉塞する内扉体３ａと外観面を形成する外扉体３ｂの２つの部材を構成部材として有している。
【００２２】
扉体３の上部には、扉体３を閉成状態に維持するロック装置７と、ロック解除部としてロック解除ボタン８とが設けられている。ロック装置７は回転軸７ｂにより内扉体３ａに回動可能に軸支され、ロック解除ボタン８はボタン軸８ａにより内扉体３ａに回動可能に軸支されている。ロック装置７の係合爪７ａは内扉体３ａに設けられた係合爪通過穴９から扉体３の外側（本体１側）に突出した構成となっている。ロック装置７は、係合爪７ａが本体１の係止部１０に係合してロックされ、ロック解除ボタン８と連動してロック装置７が解除される。
【００２３】
本体１にはロック検知スイッチ１１が配設され、扉体３の閉成状態において、ロック装置７はロック検知スイッチ１１を押圧する。ロック検知スイッチ１１は食器洗い機の運転制御と連携し、扉体３が完全に閉成状態でない場合は運転できないようにするとともに、運転途中に扉体３が開放された場合には、直ちに運転を停止させて、洗浄水が食器洗い機の機外に噴出しないように構成されている。
【００２４】
扉体３の下部には扉体３と下部洗浄槽２ｂとの間の水密なシールを行うゴム製のパッキング１２が取り付けられている。また、扉体３下面には扉体３内部に浸入した水を外部に排出する通水口１３が設けられている。この通水口１３は外扉体３ｂの底面の内扉体３ａに近い部分に設けられている。外扉体３ｂの内底面は、扉体３内部に浸入した水の通水口
１３からの排出を容易にするため、扉体３閉塞状態において、通水口１３に向かって下る方向に傾斜させて構成される。
【００２５】
下部洗浄槽２ｂの最前部の上端部には、扉体３の通水口１３から排出された水を受け止めて洗浄槽２内に流入させて回収する水回収部１６が設けられている。水回収部１６の内底面は、受け止めた水の洗浄槽２内への流入を容易にするため、洗浄槽２に向かって下る方向に傾斜させて構成される。水回収部１６は、扉体３閉塞状態において、扉体３の通水口１３の近傍直下に位置するように構成されている。
【００２６】
図２に示されるように、扉体３閉塞状態においては、通水口１３は下部洗浄槽２ｂの上方に位置しているため、通水口１３から排出された水は下部洗浄槽２ｂに回収される。この状態では、扉体３の下部に設けたパッキング１２が水回収部１６の内側部に当接し、ゴムの弾性によって水回収部１６と洗浄槽２内部との間を水密にシールしており、通水口１３から排出された水は水回収部１６に一旦受け止められ、次に扉体３が開いた時にシールが解除され、洗浄槽２内に流入、回収される。
【００２７】
また、図３に示されるように、扉体３開放状態において、扉体３内部に浸入して貯まっている水が流出しないように、通水口１３は扉体３の最下面よりも上方に構成される。
【００２８】
また、図４に示されるように、外扉体３ｂには、扉体３開放状態において係合爪通過穴９や内扉体３ａと外扉体３ｂの嵌合の隙間Ｄなどから扉体３内部に浸入した水を、扉体３を閉塞する際に通水口１３に誘導するためのリブ形状の水誘導部１４が設けられている。
【００２９】
以上のように構成された本実施の形態における食器洗い機について、その動作、作用を説明する。
【００３０】
使用者は、ロック解除ボタン８を押すことで、係合爪７ａを係止部１０から解除する。その後、把手部１５をもって扉体３を前方下方に開放する。続いて食器かご５に被洗浄物４をセットする。この際、扉体３は内扉体３ａ側が上を向いた状態であるので、前述の通り被洗浄物４に付着した水が係合爪通過穴９や内扉体３ａと外扉体３ｂの嵌合の隙間Ｄなどから扉体３内部に浸入することがあり、扉体３の開放状態においては、侵入した水は外扉体３ｂの内面に貯まっている。
【００３１】
被洗浄物４のセットが完了した後、再び使用者は扉体３を閉塞する。この際、扉体３の内部に溜まっていた水は、リブ形状の水誘導部１４にガイドされながら通水口１３に集まる。通水口１３より扉体３の外部に流出した水は、扉体３の下部に設けたパッキング１２が水回収部１６の内側部に当接してシールする前に、通水口１３の近傍直下に位置する下部洗浄槽２ｂの水回収部１６を経由して洗浄槽２内に回収される。なお、パッキング１２が水回収部１６の内側部に当接してシールする前に洗浄槽２内に回収できなかった水は、一旦、水回収部１６内に留め置かれるが、次に扉体３が開いた時にパッキング１２によるシールが解除され、洗浄槽２内に流入して回収される。
【００３２】
この際、扉体３の内部にリブ形状の水誘導部１４が設けられたことにより、扉体３の内部に浸入した水の回収をより確実かつ迅速に行うことができる。また、水回収部１６は、扉体３閉塞状態において、扉体３の通水口１３の近傍直下に位置するように構成されたことにより、パッキング１２が水回収部１６の内側部に当接してシールする前に扉体３内部に浸入した水を洗浄槽２内に回収することができる。
【００３３】
以上のように、扉体３内に水が浸入したとしても、扉体３に設けた通水口１３から下部洗浄槽２ｂの水回収部１６を経由して確実に洗浄槽２内に回収できるので、本体１の外に
漏れることはなく、本体１および床面やキッチンのワークトップ上を清潔に保つことができる。
【００３４】
なお、本実施の形態１においては、扉体３は１枚の構成としたが、複数枚の扉体で構成された場合でも同様の構成ならびに効果を得ることができる。
【産業上の利用可能性】
【００３５】
以上のように、本発明に係る食器洗い機は、扉体を開けて食器類等の被洗浄物を洗浄槽内にセットする際に、付着していた水が扉体内部に浸入した場合でも、その侵入した水を確実に洗浄槽内に回収させることができ、食器洗い機本体および床面やキッチンのワークトップ上を清潔に保つことができるので、特に扉体を前方下方に開放して被洗浄物の出し入れを行うタイプの食器洗い機として有用である。
【符号の説明】
【００３６】
１  本体
２  洗浄槽
２ａ  上部洗浄槽
２ｂ  下部洗浄槽
３  扉体
３ａ  内扉体
３ｂ  外扉体
４  被洗浄物
５  食器かご
６  扉軸
７  ロック装置
８  ロック解除ボタン
９  係合爪通過穴
１２  パッキング
１３  通水口
１４  水誘導部
１５  把手部
１６  水回収部
Ｄ  隙間
【図２】
2013255615.tif 000003
【図３】
2013255615.tif 000004
【図４】
2013255615.tif 000005
【図１】
2013255615.tif 000006
【図５】
2013255615.tif 000007